(57)【要約】【課題】  埋込穴の内径が過剰に大きい場合であってもダウンライトの埋込配設を可能とするアダプタ及び該アダプタを備えるダウンライトを提供する。【解決手段】  器具本体１と、取付ばね２と、アダプタ４とを備える。器具本体１は、天井材３に設けられた埋込穴３０に挿通される本体部１１と、本体部１１の下端を囲む環形状であって埋込穴３０の周囲において天井材３の下面に当接する鍔部１２とを有する。取付ばね２は、器具本体１に設けられた本体側結合部１３に結合可能なばね側結合部２１と、鍔部１２との間に天井材３を弾性的に挟む弾接部２２とを有する。アダプタ４は、本体側結合部１３に結合可能な第１結合部４１と、ばね側結合部２１に結合可能な第２結合部４２とを有する。埋込穴３０の内径が過剰に大きい場合には、器具本体１と取付ばね２の間にアダプタ４を介装することで埋込配設が可能となる。【選択図】図１
2014235917.tif 000002
【特許請求の範囲】
【請求項１】
光源を備えた器具本体、並びに、前記器具本体に結合可能な取付ばねを備えるダウンライトとともに用いられるアダプタであって、
前記器具本体は、天井材に設けられた埋込穴に挿通される本体部と、本体部の下端を囲む環形状であって前記埋込穴の周囲において前記天井材の下面に当接する鍔部と、前記鍔部よりも上側に位置して前記取付ばねに結合可能な本体側結合部とを有し、
前記取付ばねは、前記本体側結合部に結合可能なばね側結合部と、前記天井材に上方から弾接する弾接部とを有し、
前記本体側結合部に結合可能な第１結合部と、前記ばね側結合部に結合可能な第２結合部とを有することを特徴とするアダプタ。
【請求項２】
前記第２結合部は前記ばね側結合部が嵌合により結合することを特徴とする請求項１記載のアダプタ。
【請求項３】
請求項１又は請求項２記載のアダプタと、前記器具本体と、前記取付ばねとを備えることを特徴とするダウンライト。
【請求項４】
前記器具本体の上側に結合するヒートシンクを備え、
前記ヒートシンクは、前記本体側結合部の上側に位置することで前記本体側結合部から上方への前記第１結合部の脱落を防止する脱落防止部を有することを特徴とする請求項３記載のダウンライト。
【発明の詳細な説明】
【技術分野】
【０００１】
本発明は、アダプタ及び該アダプタを備えるダウンライトに関するものである。
【背景技術】
【０００２】
従来から、天井材に設けられた埋込穴に埋込配設されるダウンライトが提供されている（例えば、特許文献１参照）。
【０００３】
この種のダウンライトは、図９〜図１１に示すように、電気的な光源としての発光ダイオード１０を備えた器具本体１と、器具本体１に結合可能な取付ばね２とを備える。
【０００４】
器具本体１は、天井材３に設けられた埋込穴３０に挿通される本体部１１と、本体部１１の下端を囲む環形状であって埋込穴３０の周囲において天井材３の下面に当接する鍔部１２と、取付ばね２に結合可能な本体側結合部１３とを有する。本体側結合部１３は、本体部１１の外周面に、周方向に並べて３個ほぼ等間隔に設けられている。
【０００５】
各取付ばね２は、それぞれ、例えば金属板からなり、本体側結合部１３に結合可能なばね側結合部２１と、ばね側結合部２１に対して先端部を上下に変位させるように弾性変形可能であって天井材３に上方から弾接する弾接部２２とを有する。つまり、天井材３は、取付ばね２の弾接部２２と器具本体１の鍔部１２との間に弾性的に挟まれる。
【０００６】
上記のダウンライトを埋込配設する際には、先端を上方に向けるように各取付ばね２の弾接部２２を弾性変形させた状態で本体部１１と取付ばね２とを下方から埋込穴３０内に導入してから、器具本体１を上方に押し込む。すると、弾性復帰した取付ばね２の弾接部２２と鍔部１２との間に天井材３が挟まれることで、器具本体１は天井材３に対して固定され、ここにおいて埋込配設が完了する。埋込穴３０の内径は本体部１１の外径よりも大きく且つ鍔部１２の外径よりも小さくされている。従って、上記のように埋込配設が完了した状態では、鍔部１２は埋込穴３０の開口の周囲に全周にわたって当接する。また、下方から見て、本体部１１の外周面と埋込穴３０の内周面との間の隙間は、鍔部１２によって覆われる。
【０００７】
以下、本体側結合部１３とばね側結合部２１とについて詳しく説明する。
【０００８】
各本体側結合部１３は、それぞれ、本体部１１の外周面において周方向に並べて設けられた２個の挟み凸部１３１と、挟み凸部１３１の間において本体部１１の外周面に設けられた係合穴１３２とを備える。各挟み凸部１３１には、挟み凸部１３１が並ぶ方向の内向きと上方とに開放された係合凹部１３３が設けられている。
【０００９】
ばね側結合部２１は、厚さ方向を本体部１１の径方向に向ける扁平な本体部２１１と、スリット２１０を介して下端以外を本体部２１１から分離されることにより弾性変形可能とされた係合片２１２とを有する。係合片２１２の上端部は本体部２１１に対し弾接部２２とは逆方向に突出するように曲げられており、係合片２１２は本体部２１１からの突出寸法を変化させるように弾性変形可能となっている。また、ばね側結合部２１において、本体部２１１の上端部の幅方向の両側には、本体側結合部１３の１個ずつの係合凹部１３３に挿入される係合部２１３が突設されている。
【００１０】
取付ばね２を器具本体１に取り付ける際には、係合片２１２を弾性変形させた状態で、各係合部２１３をそれぞれ係合凹部１３３に導入した後、係合片２１２を弾性復帰させて係合穴１３２に係入させる。すると、器具本体１に対する取付ばね２の変位であって上方以外への変位は、係合部２１３が係合凹部１３３の内面に当接することで禁止される。また、器具本体１に対する取付ばね２の変位であって上方への変位は、図１４に示すように、係合片２１２が係合穴１３２の下向きの内面に当接することで禁止される。
【先行技術文献】
【特許文献】
【００１１】
【特許文献１】特開２００６−５４１００号公報
【発明の概要】
【発明が解決しようとする課題】
【００１２】
作業者がミスによって過剰に大きな埋込穴３０を開けてしまった場合や、本体部１１の外径がより大きな器具本体１から本体部１１の外径がより小さな器具本体１に交換される場合、本体部１１の外径に対して埋込穴３０の内径が大きすぎることになる。
【００１３】
従来のダウンライトは、上記のように埋込穴３０の内径が本体部１１の外径に対して大きすぎる場合には、取付ばね２の変形量が不足することにより十分な保持力が発揮されないから、埋込配設することができなかった。
【００１４】
本発明は、上記事由に鑑みて為されたものであり、その目的は、埋込穴の内径が過剰に大きい場合であってもダウンライトの埋込配設を可能とするアダプタ及び該アダプタを備えるダウンライトを提供することにある。
【課題を解決するための手段】
【００１５】
本発明のアダプタは、光源を備えた器具本体、並びに、前記器具本体に結合可能な取付ばねを備えるダウンライトとともに用いられるアダプタであって、前記器具本体は、天井材に設けられた埋込穴に挿通される本体部と、本体部の下端を囲む環形状であって前記埋込穴の周囲において前記天井材の下面に当接する鍔部と、前記鍔部よりも上側に位置して前記取付ばねに結合可能な本体側結合部とを有し、前記取付ばねは、前記本体側結合部に結合可能なばね側結合部と、前記天井材に上方から弾接する弾接部とを有し、前記本体側結合部に結合可能な第１結合部と、前記ばね側結合部に結合可能な第２結合部とを有することを特徴とする。
【００１６】
上記のアダプタにおいて、前記第２結合部は前記ばね側結合部が嵌合により結合することが望ましい。
【００１７】
本発明のダウンライトは、上記いずれかのアダプタと、前記器具本体と、前記取付ばねとを備えることを特徴とする。
【００１８】
上記のダウンライトにおいて、前記器具本体の上側に結合するヒートシンクを備え、前記ヒートシンクは、前記本体側結合部の上側に位置することで前記本体側結合部から上方への前記第１結合部の脱落を防止する脱落防止部を有することが望ましい。
【発明の効果】
【００１９】
本発明によれば、埋込穴の内径が過剰に大きい場合には器具本体と取付ばねの間にアダプタを介装することで埋込配設が可能となる。
【図面の簡単な説明】
【００２０】
【図１】（ａ）（ｂ）はそれぞれ本発明の実施形態が埋込配設された状態の要部を示す断面図であり、（ａ）はアダプタが用いられない場合を示し、（ｂ）はアダプタが用いられる場合を示す。
【図２】同上の要部を示す一部破断した斜視図である。
【図３】同上を示す斜視図である。
【図４】同上のアダプタを示す斜視図である。
【図５】同上においてアダプタと取付ばねとが互いに結合した状態の要部を示す斜視図である。
【図６】同上の変更例のアダプタを示す斜視図である。
【図７】図６の例においてアダプタと取付ばねとが互いに結合した状態の要部を示す、図５とは異なる方向から見た斜視図である。
【図８】図６の例の要部を示す断面図である。
【図９】従来例を示す斜視図である。
【図１０】同上を示す、図９とは異なる方向から見た斜視図である。
【図１１】同上が埋込配設された状態を示す断面図である。
【図１２】同上において器具本体に取付ばねが取り付けられる過程での要部を示す斜視図である。
【図１３】同上の要部を示す斜視図である。
【図１４】同上の要部を示す断面図である。
【発明を実施するための形態】
【００２１】
本発明のアダプタ４は、光源（発光ダイオード１０）を備えた器具本体１、並びに、器具本体１に結合可能な取付ばね２を備えるダウンライトとともに用いられる。器具本体１は、天井材３に設けられた埋込穴３０に挿通される本体部１１と、本体部１１の下端を囲む環形状であって埋込穴３０の周囲において天井材３の下面に当接する鍔部１２と、鍔部１２よりも上側に位置して取付ばね２に結合可能な本体側結合部１３とを有する。取付ばね２は、本体側結合部１３に結合可能なばね側結合部２１と、天井材３に上方から弾接する弾接部２２とを有する。アダプタ４は、本体側結合部１３に結合可能な第１結合部４１と、ばね側結合部２１に結合可能な第２結合部４２とを有することを特徴とする。
【００２２】
また、第２結合部４２はばね側結合部２１が嵌合により結合するものであることが好ましい。
【００２３】
本発明のダウンライトは、上記いずれかのアダプタ４と、器具本体１と、取付ばね２とを備えることを特徴とする。
【００２４】
また、器具本体１の上側に結合するヒートシンク５を備え、ヒートシンク５は、本体側結合部１３の上側に位置することで本体側結合部１３から上方への第１結合部４１の脱落を防止する脱落防止部（本体部５１）を有することが好ましい。
【００２５】
以下、本発明を実施するための最良の形態について、図面を参照しながら説明する。
【００２６】
本実施形態の基本構成は従来例と共通であるので、共通する部分については説明を省略する。
【００２７】
本実施形態のダウンライトにおいては、図１〜図３に示すように、器具本体１の上側に、ヒートシンク５が固定されている。ヒートシンク５は、例えばアルミダイカストからなり、上下方向に扁平であって上方から見て器具本体１の本体部１１を覆う本体部５１の上面に適宜形状のフィン５２が突設されたものである。ヒートシンク５は、例えば本体部５１を器具本体１の本体部１１に対してねじ止めすることによって器具本体１に固定されている。ヒートシンク５の本体部１１は、例えば各発光ダイオード１０が実装されたプリント配線板を下面に固定されることで、各発光ダイオード１０に対して熱的に接続される。
【００２８】
さらに、本実施形態は、図４に示すように、器具本体１の本体側結合部１３に着脱自在に結合可能な第１結合部４１と、取付ばね２のばね側結合部２１に着脱自在に結合可能な第２結合部４２とを有するアダプタ４を備える。アダプタ４は、例えば金属板に打ち抜き加工と曲げ加工とが施されたものである。また、アダプタ４は、厚さ方向を上下方向に向けて一端が第１結合部４１の上端に連結され他端が第２結合部４２の上端に連結された連結部４３を有する。
【００２９】
第１結合部４１は、扁平な形状であって、厚さ方向を本体部１１の径方向に向けて幅方向の両端部をそれぞれ本体側結合部１３の係合凹部１３３に上方から挿入される。また、ヒートシンク５の本体部５１は、一部が本体側結合部１３の上側に位置する。すなわち、ヒートシンク５の本体部５１は、アダプタ４に上方から当接することで、本体側結合部１３の上方へのアダプタ４の脱落を防止する脱落防止部として機能する。
【００３０】
第１結合部４１を本体側結合部１３に着脱する際には、第１結合部４１を一時的に弾性変形させることでヒートシンク５との干渉を避けてもよいし、ヒートシンク５が器具本体１から取り外された状態で第１結合部４１の着脱を行ってもよい。
【００３１】
第２結合部４２は、厚さ方向を第１結合部４１とほぼ平行とされた枠部４２０を有する。枠部４２０の中央部には、ばね側結合部２１の係合片２１２の先端部が挿入される係合穴４２２が厚さ方向に貫設されている。本体部１１の周方向に向けられる方向である幅方向において係合穴４２２を挟む両側には、それぞれ、挟み凸部４２１が、枠部４２０の厚さ方向の一方側であって第１結合部４１から離れる方向へ突設されている。各挟み凸部４２１の先端部は、他方の挟み凸部４２１に近付く方向へ曲げられている。
【００３２】
ばね側結合部２１を第２結合部４２に結合させる際には、枠部４２０との干渉を避けるように係合片２１２を弾性変形させつつ、ばね側結合部２１を挟み凸部４２１の間に嵌合させ、係合片２１２を弾性復帰させて係合穴４２２に係入させる。すると、図５に示すように、第２結合部４２に対するばね側結合部２１の変位であって幅方向への変位および枠部４２０から離れる方向への変位は、それぞれ挟み凸部４２１によって禁止される。また、係合穴４２２の上端の中央部には凸部４２３が突設されており、この凸部４２３が係合片２１２に当接することで、第２結合部４２に対するばね側結合部２１の変位であって上方への変位が禁止される。また、連結部４３の寸法は、第２結合部４２に結合したばね側結合部２１が鍔部１２の上側に位置する程度に小さくされており、器具本体１に対する取付ばね２の変位であって下方への変位は鍔部１２によって禁止される。
【００３３】
上記構成によれば、埋込穴３０の内径が過剰に大きい場合には、図１（ｂ）に示すように器具本体１と取付ばね２の間にアダプタ４を介装することで埋込配設が可能となる。また、埋込穴３０の内径が適切であれば、図１（ａ）に示すようにアダプタ４を用いずに取付ばね２を直接に器具本体１に結合させることで埋込配設が可能である。具体的には例えば、埋込穴３０の内径が７５ｍｍであるときには図１（ａ）に示すようにアダプタ４を省略し、埋込穴３０の内径が８５ｍｍであるときには図１（ｂ）に示すようにアダプタ４を用いる。
【００３４】
また、第２結合部４２はばね側結合部２１が嵌合によって結合するものであるので、例えば第２結合部４２にばね側結合部２１を結合させるためにねじ止めが必要とされる場合に比べて組立性が改善される。
【００３５】
なお、各部の寸法形状が適宜変更可能であることはいうまでもない。例えば、図６〜図８に示すように、アダプタ４において係合穴４２２や挟み凸部４２１の幅寸法（上下方向での寸法）をより小さくしてもよい。図６の例では、第２結合部４２において係合穴４２２の上側の縁には、係合片２１２が当接する凸部４２３の代わりに、係合片２１２が係入する凹部４２４が設けられている。
【００３６】
また、本体側結合部１３や取付ばね２の個数は３個に限られず、例えば２個や４個以上としてもよい。さらに、アダプタ４は全ての本体側結合部１３と取付ばね２との間に介装してもよいし、一部の本体側結合部１３についてのみ取付ばね２との間に介装してもよい。
【符号の説明】
【００３７】
１  器具本体
２  取付ばね
３  天井材
４  アダプタ
５  ヒートシンク
１０  発光ダイオード（光源）
１１  本体部
１２  鍔部
１３  本体側結合部
２１  ばね側結合部
２２  弾接部
３０  埋込穴
４１  第１結合部
４２  第２結合部
５１  本体部（脱落防止部）
【図１】
2014235917.tif 000003
【図２】
2014235917.tif 000004
【図３】
2014235917.tif 000005
【図４】
2014235917.tif 000006
【図５】
2014235917.tif 000007
【図６】
2014235917.tif 000008
【図７】
2014235917.tif 000009
【図８】
2014235917.tif 000010
【図９】
2014235917.tif 000011
【図１０】
2014235917.tif 000012
【図１１】
2014235917.tif 000013
【図１２】
2014235917.tif 000014
【図１３】
2014235917.tif 000015
【図１４】
2014235917.tif 000016